(57)【要約】【課題】異なる条件下で測定データを取得した場合であっても、同一ファイル内の測定データのデータ処理等が容易に行なえるように測定データを保存する測定装置を実現することにある。【解決手段】被測定信号を測定した測定データを同一のファイルに複数保存する測定装置に改良を加えたものである。本装置は、測定データそれぞれにコメントを付加する付加手段を設けたを特徴とするものである。【選択図】図１
2008145145.tif 000002
【特許請求の範囲】
【請求項１】
被測定信号を測定した測定データを同一のファイルに複数保存する測定装置において、
前記測定データそれぞれにコメントを付加する付加手段を設けたことを特徴とする測定装置。
【請求項２】
取得された前記測定データのうち、前記ファイルに保存する測定データを指示する指示部を設けたことを特徴とする請求項１記載の測定装置。
【請求項３】
被測定信号を測定した測定データを同一のファイルに複数保存する測定装置において、
前記ファイルを保存する記憶部と、
前記被測定信号をデジタルデータに変換する測定部と、
この測定部からのデジタルデータを格納するメモリと、
このメモリのデジタルデータを演算して測定データを求める演算部と、
この演算部の測定データを前記ファイルに保存することを指示する指示部と、
所望のタイミングでコメントを入力する入力部と、
この指示部の指示した測定データに前記入力部からのコメントを付加する付加手段と
を設けたことを特徴とする測定装置。
【請求項４】
前記コメントを表示する表示部を有し、
付加手段は、前記表示部に表示されているコメントを付加することを特徴とする請求項１〜３のいずれかに記載の測定装置。
【発明の詳細な説明】
【技術分野】
【０００１】
本発明は、被測定信号を所定の時間測定して測定データを取得し、この取得動作を複数回行なって取得した複数の測定データを、同一のファイルに複数保存する測定装置に関し、詳しくは、異なる条件下で測定データを取得した場合であっても、同一ファイル内の測定データのデータ処理等が容易に行なえるように測定データを保存する測定装置に関するものである。
【背景技術】
【０００２】
電力計、デジタルオシロスコープ、スペクトラムアナライザ、ペーパーレスレコーダ等の測定装置は、被測定対象（電子機器、電子回路、デバイス等）からの被測定信号をデジタルデータに変換し、このデジタルデータを用いて演算を行ない、演算結果の測定データをハードディスク等の記憶媒体にファイルとして保存する。そして、このような測定を所定の周期または所定のトリガ条件等で複数回行ない、複数回分の測定データを同一ファイルに保存することができる（例えば、非特許文献１、特許文献１参照）。
【０００３】
図５は、従来の測定装置のファイルに記載される内容の一例である。
図５に示すように、ファイルは、ヘッダ部１００、データ部１０１とからなり、ヘッダ部１００にはファイル名が記載され、データ部１０１には測定データが記載される。図５では、測定データとして、電圧、電流、有効電力、皮相電力、周波数を記載している。
【０００４】
【特許文献１】特開平９−８９９３５号公報
【非特許文献１】岩瀬久、伊東修、橘勝也、「プレシジョンパワーアナライザＷＴ３０００」、横河技報，Ｖｏｌ．４９、Ｎｏ．１、２００５年、ｐ．１７−２０
【発明の開示】
【発明が解決しようとする課題】
【０００５】
被測定対象の特性等を測定するためには、被測定対象が動作する環境の条件、被測定対象自体の設定条件を変化させたり、測定装置自身の測定条件を変化させる等して、様々な条件下で測定を行なう必要がある。
【０００６】
しかしながら、異なる条件で測定した測定データを同一ファイルに保存した場合、測定データのそれぞれが、どの条件で測定したものか不明になることが多い。そのため、条件ごとに個別にファイルを作成し、同一条件の測定データのみを同一ファイルに保存していた。これにより、各条件の測定データを組み合わせてグラフを作成したり、データ処理を行なう場合、非常に多くのファイルの中から所望の条件の測定データをファイル名で探し、探したファイルを開き、開いたファイルの測定データを別途他のファイルにコピーしてまとめる等の作業が必要であった。
【０００７】
そこで本発明の目的は、異なる条件下で測定データを取得した場合であっても、同一ファイル内の測定データのデータ処理等が容易に行なえるように測定データを保存する測定装置を実現することにある。
【課題を解決するための手段】
【０００８】
請求項１記載の発明は、
被測定信号を測定した測定データを同一のファイルに複数保存する測定装置において、
前記測定データそれぞれにコメントを付加する付加手段を設けたことを特徴とするものである。
請求項２記載の発明は、請求項１記載の発明において、
取得された前記測定データのうち、前記ファイルに保存する測定データを指示する指示部を設けたことを特徴とするものである。
請求項３記載の発明は、
被測定信号を測定した測定データを同一のファイルに複数保存する測定装置において、
前記ファイルを保存する記憶部と、
前記被測定信号をデジタルデータに変換する測定部と、
この測定部からのデジタルデータを格納するメモリと、
このメモリのデジタルデータを演算して測定データを求める演算部と、
この演算部の測定データを前記ファイルに保存することを指示する指示部と、
所望のタイミングでコメントを入力する入力部と、
この指示部の指示した測定データに前記入力部からのコメントを付加する付加手段と
を設けたことを特徴とするものである。
請求項４記載の発明は、請求項１〜３のいずれかに記載の発明において、
前記コメントを表示する表示部を有し、
付加手段は、前記表示部に表示されているコメントを付加することを特徴とするものである。
【発明の効果】
【０００９】
本発明によれば、付加手段が、同一のファイルに保存される測定データそれぞれに所望のコメントを付加するので、保存するファイルを条件ごとに変更しなくとも、同一ファイルに保存された測定データそれぞれの識別を容易に行なうことができる。これにより、異なる条件下で測定データを取得した場合であっても、同一ファイル内の測定データそれぞれの条件を把握することができ、ファイルから読み出した測定データのグラフ作成やデータ処理等が容易に行なえ、ファイル保存後の作業効率を大幅に向上することができる。
【発明を実施するための最良の形態】
【００１０】
以下図面を用いて本発明の実施の形態を説明する。
図１は、本発明の一実施例を示した構成図である。
図１において、測定部１０は、被測定信号が入力される。図１では複数個測定部１０を設ける構成を示しているが、単数でもよい。例えば、三相交流を測定する場合ならば、各相の電流・電圧が測定部１０に入力される。
【００１１】
アクイジョンメモリ２０は、測定部１０からのデジタルデータが入力される。演算部３０は、アクイジョンメモリ２０のデジタルデータを読み出す。変換部４０は、付加手段４１を有し、演算部３０から演算結果が入力され、演算結果を測定データとして所定の形式のファイルに変換する。付加手段４１は、測定データそれぞれに所望のコメントを付加する。
【００１２】
ハードディスク（以下、ＨＤと略す）５０は、記憶部であり、変換部４０からのファイルを保存する。入力部６０は、キーボード、操作パネル等であり、ファイル名、コメント等が入力され、これらファイル名、コメント等を変換部４０に出力する。また、入力部６０は、所望のタイミングでコメントを入力することができる。
【００１３】
指示部７０は、測定部１０、演算部３０に測定の開始または終了等を指示し、変換部４０に測定データの保存を指示する。表示部８０は、演算部３０からの演算結果の測定データや、入力部６０からのファイル名、コメント等を表示する。
【００１４】
このような装置の動作を説明する。ここで、図２は、本装置の動作を説明したフローチャートである。また、図３は、図１に示す装置の表示部８０の表示画面例であり、測定の開始・終了を指示するボタンＢ１、測定データの保存を指示するボタンＢ２、ファイル名を入力・表示するテキストボックスＴ１，コメントを入力・表示するテキストボックスＴ２，測定データを表示する表示欄Ｔ３が設けられる。
【００１５】
測定部１０、演算部３０に予め測定条件（測定レンジ、サンプリング速度、測定周期、演算式等）が設定される。そして、入力部６０が、ファイル名を変換部４０、表示部８０に出力し、表示部８０のテキストボックスＴ１にファイル名を表示させる（Ｓ１０）。
【００１６】
ボタンＢ１が押されると、指示部７０が、測定部１０、演算部３０に測定データの収集などを指示する（Ｓ１１）。これによって、測定部１０が所定のサンプリング速度で被測定信号をデジタルデータに変換し、所定時間分のデジタルデータをＡＣＱメモリ２０に格納する。さらに、演算部３０が所定数のデジタルデータを読み出し、読み出したデジタルデータに演算を行ない測定データを求める。測定データの例としては、読み出した所定数のデータにおける最大値、最小値、平均値、実効値、有効電力、皮相電力、無効電力、周波数、力率、位相角、ＦＦＴ解析等であり、これらの測定データを必要に応じて表示部８０の表示欄Ｔ３に表示する。（Ｓ１２）。なお、ステップＳ１２の動作によって、１回分の測定データが取得される。
【００１７】
そして、入力部６０が、コメントが入力されると表示部８０のコメント欄Ｔ２、変換部４０にコメントを出力する。なお、同一の条件で測定を行なっており、コメントの編集の必要が無ければ、コメントを変更・編集する必要はない（Ｓ１３）。
【００１８】
そして、ボタンＢ２が押されると、指示部７０が変換部４０に測定データの保存を指示する。これによって、現在、表示部８０に表示中の測定データ（つまり、本測定データよりも前に取得済みの測定データは対象外）に、表示部８０に表示されているコメント欄Ｔ２のコメントを付加し、ＨＤ５０のファイルに保存する。ここで、図４は、図１に示す装置でのファイルに記載される内容の一例である。データ部１０２は、ボタンＢ２が押されるごとに追加された測定データ、この測定データに付加されたコメントから構成される。なお、保存する際のファイル名は、表示部８０に表示されるファイル名である。また、初回の保存時には、ファイルがオープンされ、ヘッダ部１００が作成される。例えば、図４では、インバータ駆動モータの測定を行なう場合のモータの設定条件をコメントとする一例を図示している（Ｓ１４、Ｓ１５）
【００１９】
データを保存しなかった場合（Ｓ１４）、または保存する場合であってコメント付きの測定データを保存後（Ｓ１５）、ボタンＢ１が押されると測定を終了し、ファイルもクローズする（Ｓ１６）。一方、ボタンＢ１が押されず、測定を終了しない場合、次の測定データの取得を行なうが、必要に応じて条件の変更を行なって（Ｓ１７）測定データの収集、保存等を行なう（Ｓ１２〜Ｓ１５）。
【００２０】
このように、付加手段４１が、入力部６０から所望のタイミングで編集・変更されたコメントを測定データそれぞれに付加し、ＨＤ５０の同一ファイルに測定データとコメントを組にして順次追加保存していくので、同一ファイルに保存された測定データそれぞれの識別を容易に行なうことができる。これにより、条件を変更するごとにファイル名を変更して新規のファイルを作成する必要がない。従って、異なる条件下で測定データを取得した場合であっても、同一ファイル内の測定データそれぞれの条件を把握することができ、ファイルから読み出した測定データのグラフ作成やデータ処理等が容易に行なえ、ファイル保存後の作業効率を大幅に向上することができる。
【００２１】
また、取得された測定データ全てを保存せず、指示部７０によって指示された測定データのみを保存する。これにより、不必要な測定データを保存する必要が無く、ファイル保存後のデータ処理を効率よく行なうことができる。また、ＨＤ５０の消費容量を抑えることもできる。すなわち、測定部１０、演算部３０は、所定の周期または所定のトリガ条件等によって繰り返し測定を行なって測定データを取得する。そして、測定データの取得に要する時間は、ユーザが条件を変更するために要する時間よりも短い場合が多く、同一条件の測定データ全てを保存する必要性が低いからである。また、条件の変更中やコメントの編集・変更中に取得した測定データを保存する必要性も低いからである。
【００２２】
なお、本発明はこれに限定されるものではなく、以下に示すようなものでもよい。
変換部４０、ＨＤ５０、入力部６０、指示部７０、表示部８０は、他の測定装置やパソコン上に設け、演算部３０、測定部１０と通信を介してデータの授受を行なってもよい。
【００２３】
記憶部としてＨＤ５０を用いる構成を示したが、コンパクトディスク、ＭＯディスク、ＵＳＢメモリ等、どのような媒体を用いてもよい。
【００２４】
測定データごとに異なるコメントを付加する構成を示したが、例えば、１番目と２番目を同じコメントとしてもよく、どのようなコメントを入力してもよい。
【００２５】
ボタンＢ１，Ｂ２を表示部８０の表示画面上に設ける構成を示したが、キーボート、装置の操作パネル等としてもよい。
【００２６】
ファイル名、測定データの種類、コメント等は、ユーザの必要に応じてどのようなものでもよい。
【図面の簡単な説明】
【００２７】
【図１】本発明の第１の実施例を示した構成図である。
【図２】図１に示す装置の動作例を示したフローチャートである。
【図３】図１に示す装置の表示例を示した図である。
【図４】図１に示す装置におけるファイルに記載される内容の一例である。
【図５】従来の測定装置におけるファイルに記載される内容の一例である。
【符号の説明】
【００２８】
１０  測定部
２０  メモリ
３０  演算部
４１  付加手段
５０  ハードディスク（記憶部）
６０  入力部
７０  指示部
８０  表示部
【図１】
2008145145.tif 000003
【図２】
2008145145.tif 000004
【図３】
2008145145.tif 000005
【図４】
2008145145.tif 000006
【図５】
2008145145.tif 000007